(57)【要約】【課題】本発明は、簡便な作業で、広い領域を有する対象部位に、多数本の微針が突き刺せる密集型微針シートを提供する。【解決手段】本発明の密集型微針シートは、人体の肌面に添わせて配置されるシート２，１２と、肌面の配置されるシートのシート面３，１３に密集して配置され、シート面３，１３から肌面へ刺込み可能に突き出た多数本の微針５，１５とを具備したことにある。同構成により、対象部位の肌面に多数本の微針５，１５を刺すときは、シート２，１２を対象部位の肌面に添わせるように配置しながら、シート２，１２から突き出た微針５，１５を肌面へ押し込めば、多数本の微針５，１５は、一度に肌面から皮下へ刺し込まれる。【選択図】図１
2014018467.tif 000002
【特許請求の範囲】
【請求項１】
人体の肌面に添わせて配置されるシートと、
前記肌面の配置される前記シートのシート面に密集して配置され、前記シート面から前記肌面へ刺込み可能に突き出た多数本の微針と
を具備したことを特徴とする密集型微針シート。
【請求項２】
前記シート面は、前記人体の肌面に貼付可能な貼付面を有していることを特徴とする請求項１に記載の密集型微針シート。
【請求項３】
前記微針の長さは、人体各部の皮膚の厚みに応じて設定されることを特徴とする請求項１または請求項２に記載の密集型微針シート。
【請求項４】
前記シートの外形は、人体の各部位の肌面形状にならう形状に設定されることを特徴とする請求項１乃至請求項３のいずれか一つに記載の密集型微針シート。
【発明の詳細な説明】
【技術分野】
【０００１】
本発明は、美容や針治療などに用いられる密集型微針に関する。
【背景技術】
【０００２】
近時、微針は、皮膚に皮内針を固定して針治療に用いるだけでなく、美容、例えば皮膚の弾力性の向上、皺、たるみ、毛穴の開き、にきび跡の、セルライトなどの改善に用いられつつある。
美容は、針治療のように皮膚近くの神経線維を微針で刺激して、消炎や鎮痛や血行改善をするものではなく、微針にて皮下に微細な傷を作り、同傷がコラーゲンの産生により修復することで行われる。
【０００３】
具体的なメカニズムとしては、微針を肌面に突き刺して、皮下に微細な傷を作り、この微細な傷に対して働く人体の生理的反応である「創傷治癒」の作用を意図的に利用して、新陳代謝と皮膚再生を促し、コラーゲンの産生の促進から、皮膚の弾力性、皺、たるみ、毛穴の開き、にきび跡、セルライトなどを改善する。
こうした美容に用いられる微針は、針治療で用いられる皮内針と同様、肌面に一本ずつ対象部位の肌面に突き刺す構造が用いられる（特許文献１を参照）。
【先行技術文献】
【特許文献】
【０００４】
【特許文献１】特開２００７−６１２００号公報
【発明の概要】
【発明が解決しようとする課題】
【０００５】
美容では、対象となる人体の部位は広い領域が多い。顔面、具体的には頬、額、顎部などいった、広い領域の肌面がほとんどである。
ところで、肌面の新陳代謝、再生を促すためには、対象部位となる広い領域の皮下に多数の微小な傷を作ることが求められる。
【０００６】
ところが、美容では、この広い対象部位に、一本ずつ微針を肌面に突き刺し、対象部位全体に微針を配置して、皮下に多数の微小な傷を作ることになる。このため、微針による肌面の傷付けは、かなり面倒な作業となっていた。
この問題は、針治療の場合も同様ある。すなわち、広い領域の患部を微針で施術する場合、一本ずつ微針を患部に刺し、患部の消炎や鎮痛や血行の改善を促すが、患部の領域が広いと、同様に、針を患部に置く作業が面倒なものとなっていた。
【０００７】
そこで、本発明の目的は、簡便な作業で、広い領域を有する対象部位に、多数本の微針が突き刺せる密集型微針シートを提供することにある。
【課題を解決するための手段】
【０００８】
請求項１の発明は、人体の肌面に添わせて配置されるシートと、肌面の配置されるシートのシート面に密集して配置され、シート面から肌面へ刺込み可能に突き出た多数本の微針とを具備した密集型微針シートにある。
同構成により、対象部位の肌面に多数本の微針を刺すときは、シートを対象部位の肌面に添わせるように配置しながら、シートから突き出た多数本の微針を肌面へ押し込めばよい。これにより、シート面から突き出た多数本の微針は、一度に肌面から皮下へ刺し込まれる。すると、対象部位の皮下では、「創傷治癒」の作用をもたらす、新陳代謝、皮膚再生を促す多数の微小な傷が作られたり（美容）、神経線維が多数本の微針で刺激され、消炎や鎮痛や血行改善などが促されたりする（針治療）。
【０００９】
請求項２の発明は、上記目的に加え、さらに微針による効果が持続されるよう、シートの、肌面の配置されるシート面は、人体の肌面に貼付可能な貼付面を有するものとした。
請求項３の発明は、上記目的に加え、さらに微針による効果が人体各部に応じて発揮されるよう、微針の長さは、人体各部の皮膚の厚みに応じて設定されるものとした。
請求項４の発明は、上記目的に加え、さらに対象部位に合わせて微針群を配置しやすくなるよう、シートの外形は、人体の各部位の肌面形状にならう形状とした。
【発明の効果】
【００１０】
本発明によれば、密集型微針シートを対象部位の肌面に添わせるように配置しながら、同シートから突き出た多数本の微針を肌面へ押し込むだけで、一度に多数本の微針が肌面から皮下へ刺し込まれる。
したがって、シートを肌面に配置するという簡便な作業で、広い領域を有する対象部位に、多数本の微針を突き刺すことができる。よって、容易に広い対象部位の皮下に、創傷治癒」の作用をもたらす多数の微小な傷を作ったり（美容）、容易に広い対象部位の患部の神経線維を刺激して、消炎や鎮痛や血行改善を促したりできる（針治療）。
【００１１】
特にシート面を、肌面に貼付可能な貼付面にすると、突き刺した多数本の微針をそのまま肌面に固定でき、微針による効果を持続させることができる。これにより、十分に新陳代謝、皮膚再生を促す作用を確保できる（美容）。むろん、神経線維を刺激する作用も持続できる（針治療）。
【００１２】
しかも、微針の長さを、人体各部の皮膚の厚みに応じて設定すると、微針による効果を人体各部に応じて十分に発揮させることができる。
そのうえ、シートの外形を、人体の各部位の肌面形状にならう形状にすると、対象部位の形状に合わせて、適切に微針群を配置することができる。
【図面の簡単な説明】
【００１３】
【図１】本発明の第１の実施形態の密集型微針シートを、施術（美容）する状態と共に示す斜視図。
【図２】各種形状の密集型微針シートをそれぞれ示す正面図。
【図３】密集型微針シートの全体を、同シートを保護する保護部材と共に示す分解斜視図。
【図４】図３中のＡ−Ａ線に沿う断面図。
【図５】密集型微針シートを肌面へ刺すときを示す断面図。
【図６】微針群が肌面に刺し込まれた状態を示す断面図。
【図７】微針による傷が修復される状況を説明する断面図。
【図８】本発明の第２の実施形態の密集型微針シートを、施術（針治療）している状態と共に示す正面図。
【図９】同密集型微針シートの全体を示す斜視図。
【図１０】本発明の第３の実施形態の密集型微針シートを示す断面図。
【発明を実施するための形態】
【００１４】
以下、本発明を図１〜図７に示す第１の実施形態にもとづいて説明する。
図１中１は、密集型微針シートを示している。同密集型微針シート１は、美容、ここでは人体の肌、例えば顔ａの皮膚の弾力性を高めたり、顔ａの皺、顔ａのたるみ、毛穴の開き、にきび跡などの改善に用いる。
【００１５】
密集型微針シート１は、図２（ａ）〜（ｄ）に示されるように対象部位の肌面に応じて、各種外形並びに大きさのシートがそれぞれ用意されている。ここでは、密集型微針シート１は、顔面の各部位に応じた各種形状、例えば図２（ａ）に示されるような一般成人女性の額の形状や広さにしたがい定めた額形の密集型微針シート１ａや、図２（ｂ）に示されるような一般成人女性の目の下から口元までの頬全体の形状や広さにしたがい定めた頬形の密集型微針シート１ｂや、図２（ｃ）に示されるような一般成人女性の目の下の形状や広さにしたがい定めた目の下形の密集型微針シート１ｃや、図２（ｄ）に示されるような一般成人女性の頬の下側から口元までの頬形状や広さにしたがい定めた下頬形の密集型微針シート１ｄや、図２（ｅ）のような一般成人女性の顎を含む口元両側の範囲の形状や広さにしたがい定めた顎形の密集型微針シート１ｅなどが用意されている。
【００１６】
図１は、このうちの図２（ｂ）に示す密集型微針シート１ｂを頬全体に用いたときを挙げている（他形状は図示せず）。図３には、この頬形の密集型微針シート１ｂの全体が示され（針側からの図）、図４（ａ），（ｂ）には、同シート１ｂの断面（図３中のＡ−Ａ線）が示されている。
【００１７】
図３および図４（ａ），（ｂ）を参照して、密集型微針シート１ｂの各部を説明すると、２は、例えば柔軟性をもつ薄板の合成樹脂部材から構成されたシート部材（本願のシートに相当）である。このシート部材２の外形は、前述のように一般成人女性の目の下から口元までの頬全体を覆うのに適した形状や広さに定めてある。これで、美容の対象部位となる頬領域に合わせて、シート全体を頬面（肌面）に添わせられるようにしている。
【００１８】
このシート部材２の一側面、具体的には図４（ｂ）に示されるように肌面の配置される側のシート面３には、例えば粘着材４ａが塗布され、頬に貼付可能な貼付面４を形成している。つまり、シート部材２は、頬面（肌面）に貼り付けられるようにしている。むろん、貼付面４は、頬面から剥がせる。
【００１９】
またシート部材２のシート面３には、図３および図４に示されるように微針５が植えられている。微針５は、皮膚の厚み、皮膚具合に応じて、多数本、シート面３に植え付けてある。
【００２０】
すなわち、美容用として微針５は、長さ寸法が０．５〜２．０ｍｍ程度、太さが１．８〜２．４ｍｍ程度の微小な針部材、例えばステンレススチール製の針が用いられる。
微針５は、これらの範囲内から、頬の厚みに適した長さ寸法および太さのステンレススチール製の針を選んで、シート面３上に、例えば数百本、植え付けてある（シート面３とは略直角な方向から）。このシート部材２を台座とした微針５の取り付けにより、針倒れが抑えられる構造ともなっている。
【００２１】
数百本（多数本）のステンレススチール製の針は、例えば０．２〜２．０ｍｍ程度の間隔で、点在、例えば多数条、シート面３上に配置され、シート面３に高い密度で微針５を配置させている（密集）。この微針５群は、粘着層（貼付面４を形成するもの）を通り、シート面３から突き出ていて、密集型微針シート１ｂが、頬面（肌面）に貼り付けられるにしたがい、微針５が頬面（肌面）へ刺し込める。つまり微針５の先端（尖頭部）から肌面へ刺し込める構造にしている。
【００２２】
この密集型微針シート１ｂは、同シート１ｂの取り扱いが安全に行えるよう、通常、貼付面４や微針５が有る側は、図３および図４（ａ）に示されるように保護部材、例えば貼付面４と剥離可能な剥離面６ａをもつスポンジシート６で覆われる。
ちなみに、他の密集型微針シート１ａ，１ｃ，１ｄ，１ｅも、同様な構造が用いられている。
【００２３】
つぎに、このように構成された密集型微針シート１ｂの作用について説明する。
密集型微針シート１ｂを用いて、例えば顔ａの右側の頬全体の肌を改善、例えば皮膚の弾力性、皺、たるみ、毛穴の開き、にきび跡やセルライトなどを改善するとする。
【００２４】
このときは、まず、図３および図４に示されるように密集型微針シート１ｂからスポンジシート６を剥離し、同シート１ｂの微針５を露出させる。この後、図１に示されるように同シート１ｂを頬の位置や形状に合わせる。ついで、図１、図５および図６に示されるように美容の対象部位となる顔ａの肌面部位、ここでは右側の頬面全体に添わせ、シート部材２から突き出た多数本の微針５を肌面へ押し込み、図１および図５に示されるように貼付面４を頬面全体に貼り付ける。
【００２５】
すると、図６に示されるように多数本の微針５は、一度に頬面（肌面）から皮下へ刺し込まれる。具体的には微針５は、皮膚の表皮層αから真皮層βに届く地点まで刺し込まれる（皮膚の表層）。この微針５の刺し込みにより、皮下には微細な傷が作られる。
このときの刺し込む力は、多数本の微針５に分散されるため、一本ずつ微針を刺す場合に比べ、負担（痛み）は少ない。
【００２６】
密集型微針シート１ｂを頬面に貼り付けたまま（固定）、放置しておく。これにより、皮下には微細な傷が十分に作られる。
その後、密集型微針シート１ｂを頬面から剥がし、微針５を頬面から抜く。これにより、頬面（肌面）には、図７（ａ）に示されるように多数の微細な傷ｉが残る。すると、微細な傷ｉに対して働く人体の生理的反応である「創傷治癒」の作用により、新陳代謝と皮膚再生が促され、コラーゲンの産生が促進される。この一連の機序により、微細な傷ｉは、図７（ｂ）に示されるように修復され、皮膚の弾力、皺、たるみ、毛穴の開き、にきび跡、セルライトなどが改善される。つまり、美容目的が果たされる。
【００２７】
かくして、密集型微針シート１ｂの採用により、同シート１ｂを対象部位の肌面に添わせ、同シート１ｂから突き出た多数本の微針５を肌面へ押し込むだけで、一度に多数本の微針５を肌面から皮下へ刺し込むことができる。
【００２８】
それ故、従来のような面倒な一本ずつ刺す手間を必要とせずに、密集型微針シート１ｂを肌面に配置するという簡便な作業だけで、多数本の微針を広い対象部位の領域に突き刺すことができる。しかも、針に力が集中する針を一本ずつの肌面に刺すのではなく、多数本の針に力が分散する、一度に多数本の微針を肌面に刺すので、負担（痛み）は小さくてすむ。同効果は、他の密集型微針シート１ａ，１ｃ，１ｄ，１ｅを用いたときも同様である。
【００２９】
特に密集型微針シート１ｂは、肌面に貼付可能な構造にしたことにより、多数本の微針５は肌面に突き刺したまま固定されるため、微針５による傷を作る作用を持続させることができ、十分な新陳代謝や皮膚再生が促せる。
【００３０】
しかも、微針５の長さは、人体各部の皮膚の厚みに応じて設定してあるので、微針５がもたらす「創傷治癒」の効果を、人体各部に応じて十分に発揮させることができる。
そのうえ、シート部材２の外形は、人体の各部位の肌面形状にならう形状にしてあるので、密集型微針シート１ｂは、対象部位となる形状に合わせるだけで、適切に微針５群を対象部位に配置することができ、容易に「創傷治癒」を発揮させることができる。
【００３１】
第１の実施形態では、密集型微針シートを美容目的で用いる例を挙げたが、これに限らず、針治療の目的で用いることができる。
図８および図９には、この針治療の目的で用いる密集型微針シート１１の例が第２の実施形態として示されている。
【００３２】
すなわち、本実施形態の密集型微針シート１１は、例えば人体の腰部ｘにおける消炎鎮痛や血行改善のために用いるシートが一例として挙げてある。同密集型微針シート１１は、例えば図８および図９に示されるように腰部ｘの患部に対応した形状、ここでは長方形状のシート部材１２を用い、同シート部材１２の一側のシート面１３に、第１の実施形態と同様、貼付面１４を形成したり、第１の実施形態と同様、ステンレススチール製の針で形成される微針１５を多数本、密集して植え込んだりしてある。
【００３３】
これにより、第１の実施形態と同様、一本ずつ微針を刺す手間を必要とせずに、密集型微針シート１１を腰部１１の肌面に貼り付けるだけの簡便な作業で、多数本の微針１５を患部に刺すことができる。つまり、密集型微針シート１１を貼り付けるだけで、多くの微針５にて皮膚表層の神経線維が刺激され、消炎や鎮痛や血行改善などが促され、腰痛などの症状が改善される（針治療）。むろん、対象部位は、人体の腰部ｘでなく、他の部分に用いて、肩部の肩こりを改善したり、腕部や足部などの筋肉痛を改善したりするのに用いてもよい。
【００３４】
図１０は、本発明の第３の実施形態を示す。
本実施形態は、密集型微針シート１（１１）に例えば治療液、例えば美容液や薬液などの促進液（液体）を含ませた含浸層を設けて、同シート１（１１）から、美容液や薬液などの促進液が肌面に供給されるようにしたものである。
例えば本実施形態では、シート部材２（１２）の他側面に、促進液を含ませた不織布などで形成される含浸層２０を設け、シート部材２（１２）の一部にスリットなど開口２１を設けて、含浸層２０に含まれた美容液や薬液が開口２１を通じて肌面に浸透されるようにしたものである。
【００３５】
このようにすると、効果的に創傷治癒や消炎や鎮痛や血行改善などが進む。むろん、粘着層そのものを、促進液などを含ませた含浸層から構成してもよい。
なお、本発明は、上述した実施形態に限定されるものではなく、本発明の主旨を逸脱しない範囲内で種々可変して実施しても構わない。
【符号の説明】
【００３６】
１ｂ，１１  密集型微針シート
２，１２  シート部材（シート）
３，１３  シート面
４，１４  貼付面
５，１５  微針
【図１】
2014018467.tif 000003
【図２】
2014018467.tif 000004
【図３】
2014018467.tif 000005
【図４】
2014018467.tif 000006
【図５】
2014018467.tif 000007
【図６】
2014018467.tif 000008
【図７】
2014018467.tif 000009
【図８】
2014018467.tif 000010
【図９】
2014018467.tif 000011
【図１０】
2014018467.tif 000012
【手続補正書】
【提出日】平成24年11月13日(2012.11.13)
【手続補正２】
【補正対象書類名】明細書
【補正対象項目名】０００１
【補正方法】変更
【補正の内容】
【０００１】
本発明は、顔面の美容に用いられる顔面美容用密集型微針シートに関する。
【手続補正３】
【補正対象書類名】明細書
【補正対象項目名】０００６
【補正方法】変更
【補正の内容】
【０００６】
ところが、美容では、この広い対象部位に、一本ずつ微針を肌面に突き刺し、対象部位全体に微針を配置して、皮下に多数の微小な傷を作ることになる。このため、微針による肌面の傷付けは、かなり面倒な作業となっていた。
【手続補正４】
【補正対象書類名】明細書
【補正対象項目名】０００７
【補正方法】変更
【補正の内容】
【０００７】
そこで、本発明の目的は、簡便な作業で、広い領域を有する対象部位に、多数本の微針が突き刺せる顔面美容用密集型微針シートを提供することにある。
【手続補正５】
【補正対象書類名】明細書
【補正対象項目名】０００８
【補正方法】変更
【補正の内容】
【０００８】
請求項１の発明は、顔面の肌面に添わせて配置されるシートと、肌面に配置されるシートのシート面に密集して配置され、シート面から肌面へ、当該肌面の皮膚の表皮層から真皮層に届くまで刺込み可能に突き出た多数本の微針と、肌面に配置されるシートのシート面に設けられ、シート面から突き出た多数本の微針を肌面に真皮層まで刺し込んだ状態で固定させる、肌面に貼付可能な貼付面とを有し、貼付面にて、多数本の微針を、皮膚の真皮層に刺し込んだ状態で肌面に固定し続けることによって、皮膚の皮下に、創傷治癒の作用により修復可能な多数の微細な傷を形成可能とした顔面美容用密集型微針シートにある。
同構成により、対象部位の肌面に多数本の微針を刺すときは、シートを対象部位の肌面に添わせるように配置しながら、シートから突き出た多数本の微針を肌面へ押し込めばよい。これにより、シート面から突き出た多数本の微針は、一度に肌面から皮下へ刺し込まれる。すると、対象部位の皮下では、「創傷治癒」の作用をもたらす、新陳代謝、皮膚再生を促す多数の微小な傷が作られる（美容）。
【手続補正６】
【補正対象書類名】明細書
【補正対象項目名】０００９
【補正方法】変更
【補正の内容】
【０００９】
請求項２の発明は、上記目的に加え、さらに対象部位に合わせて微針群を配置しやすくなるよう、シートの外形は、顔面の各部位の肌面形状にならう形状とした。
【手続補正７】
【補正対象書類名】明細書
【補正対象項目名】００１０
【補正方法】変更
【補正の内容】
【００１０】
本発明によれば、顔面美容用密集型微針シートを顔面の肌面に添わせるように配置しながら、同シートから突き出た多数本の微針を肌面へ押し込むだけで、一度に多数本の微針が肌面から皮下へ刺し込まれる。
したがって、シートを肌面に配置するという簡便な作業で、広い領域を有する対象部位に、多数本の微針を突き刺すことができる。よって、容易に広い対象部位の皮下に、創傷治癒」の作用をもたらす多数の微小な傷を作ることができ、十分に新陳代謝、皮膚再生を促す作用を確保できる（美容）。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
そのうえ、シートの外形を、顔面の各部位の肌面形状にならう形状にすると、対象部位の形状に合わせて、適切に微針群を配置することができる。
【手続補正１０】
【補正対象書類名】明細書
【補正対象項目名】００１３
【補正方法】変更
【補正の内容】
【００１３】
【図１】本発明の一実施形態の顔面美容用密集型微針シートを、施術（美容）する状態と共に示す斜視図。
【図２】各種形状の密集型微針シートをそれぞれ示す正面図。
【図３】密集型微針シートの全体を、同シートを保護する保護部材と共に示す分解斜視図。
【図４】図３中のＡ−Ａ線に沿う断面図。
【図５】密集型微針シートを肌面へ刺すときを示す断面図。
【図６】微針群が肌面に刺し込まれた状態を示す断面図。
【図７】微針による傷が修復される状況を説明する断面図。
【手続補正１１】
【補正対象書類名】明細書
【補正対象項目名】００１４
【補正方法】変更
【補正の内容】
【００１４】
以下、本発明を図１〜図７に示す一実施形態にもとづいて説明する。
図１中１は、顔面美容用密集型微針シート（以下、密集型微針シートという）を示している。同密集型微針シート１は、美容、ここでは顔面の肌、具体的には顔ａの皮膚の弾力性を高めたり、顔ａの皺、顔ａのたるみ、毛穴の開き、にきび跡などの改善に用いる。
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】変更
【補正の内容】
【００３５】
なお、本発明は、上述した一実施形態に限定されるものではなく、本発明の主旨を逸脱しない範囲内で種々可変して実施しても構わない。
【手続補正１７】
【補正対象書類名】明細書
【補正対象項目名】００３６
【補正方法】変更
【補正の内容】
【００３６】
１ｂ  密集型微針シート
２  シート部材（シート）
３  シート面
４  貼付面
５  微針
【手続補正１８】
【補正対象書類名】特許請求の範囲
【補正対象項目名】全文
【補正方法】変更
【補正の内容】
【特許請求の範囲】
【請求項１】
顔面の肌面に添わせて配置されるシートと、
前記肌面に配置される前記シートのシート面に密集して配置され、前記シート面から前記肌面へ、当該肌面の皮膚の表皮層から真皮層に届くまで刺込み可能に突き出た多数本の微針と、
前記肌面に配置される前記シートのシート面に設けられ、前記シート面から突き出た多数本の微針を前記肌面に前記真皮層まで刺し込んだ状態で固定させる、前記肌面に貼付可能な貼付面とを有し、
前記貼付面にて、前記多数本の微針を、前記皮膚の真皮層に刺し込んだ状態で前記肌面に固定し続けることによって、前記皮膚の皮下に、創傷治癒の作用により修復可能な多数の微細な傷を形成可能とした
ことを特徴とする顔面美容用密集型微針シート。
【請求項２】
前記シートの外形は、前記顔面の各部位の肌面形状にならう形状に設定されることを特徴とする請求項１に記載の顔面美容用密集型微針シート。
【手続補正１９】
【補正対象書類名】図面
【補正対象項目名】図８
【補正方法】削除
【補正の内容】
【手続補正２０】
【補正対象書類名】図面
【補正対象項目名】図９
【補正方法】削除
【補正の内容】
【手続補正２１】
【補正対象書類名】図面
【補正対象項目名】図１０
【補正方法】削除
【補正の内容】
【手続補正書】
【提出日】平成25年5月1日(2013.5.1)
【手続補正１】
【補正対象書類名】明細書
【補正対象項目名】０００８
【補正方法】変更
【補正の内容】
【０００８】
請求項１の発明は、外形が顔面の各部位の肌面形状にならう形状で設定され、顔面の各部位の肌面形状にならい当該顔面の肌面に添わせて配置されるシートと、肌面に配置されるシートのシート面に密集して配置され、シート面から前面へ、当該肌面の皮膚の表皮層から真皮層に届くまで刺込み可能に突き出た多数本の微針と、肌面に配置されるシートのシート面に設けられ、シート面から突き出た多数本の微針を肌面に真皮層まで刺し込んだ状態で固定させる、肌面に貼付可能な貼付面とを有し、貼付面にて、多数本の微針を、皮膚の真皮層に刺し込んだ状態で肌面に固定し続けることによって、皮膚の皮下に、創傷治癒の作用により修復可能な多数の微細な傷を形成可能とした顔面美容用密集型微針シートにある。
同構成により、対象部位の肌面に多数本の微針を刺すときは、シートを対象部位の肌面に添わせるように配置しながら、シートから突き出た多数本の微針を肌面へ押し込めばよい。これにより、シート面から突き出た多数本の微針は、一度に肌面から皮下へ刺し込まれる。すると、対象部位の皮下では、「創傷治癒」の作用をもたらす、新陳代謝、皮膚再生を促す多数の微小な傷が作られる（美容）。
【手続補正２】
【補正対象書類名】明細書
【補正対象項目名】０００９
【補正方法】削除
【補正の内容】
【手続補正３】
【補正対象書類名】明細書
【補正対象項目名】００１２
【補正方法】変更
【補正の内容】
【００１２】
そのうえ、シートの外形を、顔面の各部位の肌面形状にならう形状にしたことにより、対象部位の形状に合わせて、適切に微針群を配置することができる。
【手続補正４】
【補正対象書類名】特許請求の範囲
【補正対象項目名】全文
【補正方法】変更
【補正の内容】
【特許請求の範囲】
【請求項１】
外形が顔面の各部位の肌面形状にならう形状で設定され、前記顔面の各部位の肌面形状にならい当該顔面の肌面に添わせて配置されるシートと、
前記肌面に配置される前記シートのシート面に密集して配置され、前記シート面から前記肌面へ、当該肌面の皮膚の表皮層から真皮層に届くまで刺込み可能に突き出た多数本の微針と、
前記肌面に配置される前記シートのシート面に設けられ、前記シート面から突き出た多数本の微針を前記肌面に前記真皮層まで刺し込んだ状態で固定させる、前記肌面に貼付可能な貼付面とを有し、
前記貼付面にて、前記多数本の微針を、前記皮膚の真皮層に刺し込んだ状態で前記肌面に固定し続けることによって、前記皮膚の皮下に、創傷治癒の作用により修復可能な多数の微細な傷を形成可能とした
ことを特徴とする顔面美容用密集型微針シート。